(57)【特許請求の範囲】
【請求項１】
建物のフロアを構成する複数エリア内の複数の空調機に接続された空調管理装置において、
前記複数の空調機から能力要求比率を示すデータを取得する空調機データ取得部と、
前記空調機データ取得部で取得された前記複数の空調機の能力要求比率を示すデータに基づいて、前記フロア内の各エリアの平均能力要求比率を算出するエリア別データ算出部と、
前記エリア別データ算出部で算出された平均能力要求比率のレベルごとに異なる色調で該当するエリアが表示されるように、該当するフロアの構成図の表示画面情報を生成する表示画面情報生成部と、
前記表示画面情報生成部で生成された表示画面情報を表示する表示部と
を備えることを特徴とする空調管理装置。
【請求項２】
建物のフロアを構成する複数エリア内の複数の空調機に接続された空調管理装置において、
前記複数の空調機から所定時間間隔でサーモＯＮ／ＯＦＦ状態の情報を取得する空調機データ取得部と、
前記空調機データ取得部で過去の所定時間内に取得された前記複数の空調機のサーモＯＮ／ＯＦＦ状態の情報に基づいて、前記フロア内の各エリアの空調機のサーモＯＦＦ時間比率の平均値を算出するエリア別データ算出部と、
前記エリア別データ算出部で算出された、該当する空調機のサーモＯＦＦ時間比率の平均値が予め設定された閾値以上のエリアを強調させて、該当するフロアの構成図の表示画面情報を生成する表示画面情報生成部と、
前記表示画面情報生成部で生成された表示画面情報を表示する表示部と
を備えることを特徴とする空調管理装置。
【請求項３】
建物のフロアを構成する複数エリア内の複数の空調機に接続された空調管理装置が、
前記複数の空調機から能力要求比率を示すデータを取得するステップと、
取得された前記複数の空調機の能力要求比率を示すデータに基づいて、前記フロア内の各エリアの平均能力要求比率を算出するステップと、
算出された平均能力要求比率のレベルごとに異なる色調で該当するエリアが表示されるように、該当するフロアの構成図の表示画面情報を生成するステップと
を有することを特徴とする空調管理画面生成方法。
【請求項４】
建物のフロアを構成する複数エリア内の複数の空調機に接続された空調管理装置が、
前記複数の空調機から所定時間間隔でサーモＯＮ／ＯＦＦ状態の情報を取得するステップと、
過去の所定時間内に取得された前記複数の空調機のサーモＯＮ／ＯＦＦ状態の情報に基づいて、前記フロア内の各エリアの空調機のサーモＯＦＦ時間比率の平均値を算出するステップと、
該当する空調機のサーモＯＦＦ時間比率の平均値が予め設定された閾値以上のエリアを強調させて、該当するフロアの構成図の表示画面情報を生成するステップと
を有することを特徴とする空調管理画面生成方法。
【発明の詳細な説明】
【技術分野】
【０００１】
本発明の実施形態は、空調管理装置、およびこれを用いた空調管理画面生成方法に関する。
【背景技術】
【０００２】
通常、商業施設やオフィスビルなどの大型の建物内には多数の空調機が設置されており、これらは中央管理装置において集中管理されている。中央管理装置では、各フロアの構成図に、設置された空調機の位置情報や、各空調機のＯＮ／ＯＦＦ状況を示す情報、および設定内容や室温の情報等が重畳された空調管理画面を表示させることで、建物内の空調管理のための情報を管理者に提供している。
【先行技術文献】
【特許文献】
【０００３】
【特許文献１】特開２００２−１９００８０号公報
【発明の概要】
【発明が解決しようとする課題】
【０００４】
大規模商業施設などにおいて、１つのフロアに多数の空調機が設置されている場合、１つの空調管理画面に表示される空調機の数も多く、個々の空調機の状況を確認するのは非常に面倒である。上述したような空調管理画面を見て管理者が空調機の制御指示を行う場合、室温が他のエリアと大きく異なるエリアや、負荷が他の空調機よりも大きい空調機等を、画面に表示された情報に基づいて判断しなければならず、管理者への負担が大きく、また見落としが発生する可能性があるという問題があった。
【０００５】
本発明は上記事情に鑑みてなされたものであり、大型の建物内の複数の空調機の稼動状態を管理者が把握しやすい状態で提示することが可能な、空調管理装置、およびこれを用いた空調管理画面生成方法を提供することを目的とする。
【課題を解決するための手段】
【０００６】
上記目的を達成するための実施形態によれば、建物のフロアを構成する複数エリア内の複数の空調機を管理する空調管理装置は、空調機データ取得部とエリア別データ算出部と表示画面情報生成部と表示部とを備える。空調機データ取得部は、複数の空調機から能力要求比率を示すデータを取得する。エリア別データ算出部は、取得された複数の空調機の能力要求比率を示すデータに基づいて、フロア内の各エリアの平均能力要求比率を算出する。表示画面情報生成部は、算出される平均能力要求比率のレベルごとに異なる色調で該当するエリアを示して前記フロアの構成図を表示させるための表示画面情報を生成する。表示部は、生成された表示画面情報を表示する。
【図面の簡単な説明】
【０００７】
【図１】本発明の一実施形態による空調管理装置を用いたデマンド制御システムの構成を示す全体図である。
【図２】本発明の一実施形態による空調管理装置に記憶された管理対象の建物内のフロア構成図である。
【図３】本発明の一実施形態による空調管理装置で実行されるエリア別データ算出処理を示すフローチャートである。
【図４】本発明の一実施形態による空調管理装置に記憶される各種データの一例を示す表である。
【図５】本発明の一実施形態による空調管理装置で実行されるエリア別表示色決定処理を示すフローチャートである。
【図６】本発明の一実施形態による空調管理装置で表示された温度分布表示モードの表示情報の一例を示す画面表示図である。
【図７】本発明の一実施形態による空調管理装置で表示された空調負荷分布モードの表示情報の一例を示す画面表示図である。
【図８】本発明の一実施形態による空調管理装置で表示されたサーモＯＦＦ時間状況表示モードの表示情報の一例を示す画面表示図である。
【発明を実施するための形態】
【０００８】
本発明の一実施形態として、１階および２階の２フロアを有する商業施設の建物Ｘに搭載する空調管理システムについて説明する。本実施形態において建物内の各フロアは、予め設定された複数のエリア（店舗エリア、共有設備エリア、事務所エリア等）により構成されており、各エリアに１台または複数台の空調機が設置されている。
【０００９】
〈一実施形態による空調管理装置を用いた空調管理システムの構成〉
本実施形態による空調管理装置を用いた空調管理システムの構成について、図１を参照して説明する。本実施形態による空調管理システム１は、建物内のいずれかのエリアに設置された複数台の空調機１０１−１、１０１−２・・・と、これら複数台の空調機に接続され、当該建物内の管理室に設置された空調管理装置２０とを備える。なお、ここでは、空調機１０１−１、１０１−２・・・は、屋内に設置される室内機を意味する。
【００１０】
空調管理装置２０は、空調機データ取得部２１と、データ記憶部２２と、エリア別データ算出部２３と、入力部２４と、表示画面情報生成部２５と、表示部２６とを有する。
【００１１】
空調機データ取得部２１は、接続された全ての空調機から、各空調機に搭載されている温度センサ（図示せず）で計測された吸込温度（室温）データ、各空調機の最大能力に対する現時点における要求能力の比率を示す能力要求比率を示すデータ、各空調機の運転／停止状態を示すデータ、各空調機のサーモＯＮ／ＯＦＦ状態を示すデータを取得する。データ記憶部２２は、空調機データ取得部２１で取得されたデータ、およびエリア別データ算出部２３で算出されるデータを記憶する。能力要求比率とは、例えば、対象となる空調機の最大能力値が１０ｋWで、現時点の要求能力値が５ｋWであれば、５／１０＝５０%となる。
【００１２】
エリア別データ算出部２３は、空調機データ取得部２１で取得された各空調機に関するデータに基づいて、各エリアの平均室温値とフロア全体の平均室温値との差分値、各エリア内の空調機の能力要求比率の平均値、または、各エリア内の空調機の所定時間内のサーモＯＦＦ時間比率の平均値を算出する。ここで、エリア内の空調機が１台の場合には、当該空調機に関するデータがそのまま、平均室温値、能力要求比率の平均値、サーモＯＦＦ時間比率の平均値として用いられる。
【００１３】
入力部２４は、管理者の操作により、表示対象とするフロアを指定する情報、および表示モード（温度分布表示モード、空調負荷分布表示モード、サーモＯＦＦ時間状況表示モード）を指定する情報を入力する。
【００１４】
表示画面情報生成部２５は、入力部２４からの指示に応じて、予め保持した建物内の各フロアの構成図情報、およびデータ記憶部２２に記憶されたデータに基づいて、各エリアの平均室温値とフロア全体の平均室温値との差分値のレベルごとに異なる色調で該当するエリアが表示されるように、該当するフロアの構成図の表示画面情報を生成する。また表示画面情報生成部２５は、エリア別データ算出部２３で算出された平均能力要求比率のレベルごとに異なる色調で該当するエリアが表示されるように、該当するフロアの構成図の表示画面情報を生成する。また表示画面情報生成部２５は、エリア別データ算出部２３で算出された、該当する空調機のサーモＯＦＦ時間比率の平均値が予め設定された閾値以上のエリアを強調させたフロア構成図を表示させるための表示画面情報を生成する。表示部２６は、表示画面情報生成部２５で生成された表示画面情報を表示する。ここで、「異なる色調」とは、色の違いや濃淡の違い等、視覚的に差異が識別可能な様々な表示状態を含む。
【００１５】
〈一実施形態による空調管理システムの動作〉
次に、本実施形態による空調管理システム１の動作について説明する。本実施形態において空調管理装置２０の表示画面情報生成部２５には、管理対象の建物Ｘの１階フロアおよび２階フロアに関し、フロアを構成する複数エリアの配置を示すフロア構成図の情報が保持されている。表示画面情報生成部２５に保持されているフロア構成図の情報の例について、図２を用いて説明する。
【００１６】
図２は、表示画面情報生成部２５に保持されている建物Ｘの１階のフロア構成図情報を画面に表示させたときの画面構成図である。図２に示すように、当該１階フロアには、壁や扉等で３方向または４方向が仕切られたエリア１０１、１０２、１０３、１１１、１１２・・・１７２の２１個のエリアがあり、各エリアには丸印で示すように、１台または複数台の空調機がそれぞれ設置されている。例えば、エリア１０１には空調機１０１−１および１０１−２の２台が設置され、エリア１０２には空調機１０２−１、１０２−２、および１０２−３の３台が設置されている。ここでは、空調機の符号を理解しやすくするため、符号の前半（−の前部分）にエリアの番号を、後半に同エリア内の空調機を連番となるように記載している。
【００１７】
図２を含むフロア構成図情報が表示画面情報生成部２５に保持されている状態で、空調管理装置２０において所定時間間隔（例えば数十秒〜数分間隔）で実行されるエリア別データの算出処理について、図３のフローチャートを参照して説明する。
【００１８】
空調管理装置２０では、エリア別データ算出処理の実行タイミングが到来すると（Ｓ１の「YES」）、空調機データ取得部２１において、停止中の空調機も含め接続されている全ての空調機から、最新の吸込温度データが取得される。取得された吸込温度データは、各空調機の室温データとして、データ記憶部２２に記憶される（Ｓ２）。
【００１９】
データ記憶部２２に記憶されたデータの一例を図４に示す。図４の例では、エリア１０１の空調機１０１−１の室温データが３１℃、空調機１０１−２の室温データ２９℃・・・と算出され、記憶されている。
【００２０】
次に、エリア別データ算出部２３において、データ記憶部２２に記憶された各空調機の室温データに基づいて、フロアごとにフロア全体の平均室温値が算出され、データ記憶部２２に記憶される（Ｓ３）。例えば図４に示すように、１階フロアの平均室温値が２６℃と算出され、記憶される。
【００２１】
次に、エリア別データ算出部２３において、データ記憶部２２に記憶された各空調機の室温データに基づいて、各エリアの平均室温値が算出される。そして、各エリアについて、該当するエリアの平均室温値と、ステップＳ３で記憶されたフロア全体の平均室温値との差分値が算出され、データ記憶部２２に記憶される（Ｓ４）。例えば図４に示すように、エリア１０１の平均室温値が３０℃、エリア１２２の平均室温値が２４℃、エリア１２５の平均室温値が２２℃と記憶される。さらに、エリア１０１の平均室温値と１Ｆフロア全体の平均室温値との差分値が＋４℃と算出され、エリア１２２の平均室温値と１Ｆフロア全体の平均室温値との差分値が−２℃と算出され、エリア１２５の平均室温値と１Ｆフロア全体の平均室温値との差分値が−４℃・・・と算出され、これらの平均室温値がデータ記憶部２２に記憶される。
【００２２】
次に、空調機データ取得部２１において、接続されている全ての空調機から、現在の室外機への能力要求比率を示すデータが取得され、データ記憶部２２に記憶される（Ｓ５）。例えば図４に示すように、エリア１０１の空調機１０１−１の能力要求比率１００％、空調機１０１−２の能力要求比率９０％・・・が取得され、記憶される。なお、空調機データ取得部２１では、空調管理装置２０との接続時に各空調機の最大能力値を予め記憶するようにしておき、運転中は各空調機からその時点の要求能力値を受け取るようにして、各空調機の能力要求比率を空調機データ取得部２１内で算出するようにしても良い。
【００２３】
次に、エリア別データ算出部２３において、データ記憶部２２に記憶された各空調機の能力要求比率のデータに基づいて、各エリア内の空調機の能力要求比率の平均値が算出され、データ記憶部２２に記憶される（Ｓ６）。例えば図４に示すように、エリア１０１の平均能力要求比率が９５％、エリア１２２の平均能力要求比率が２０％、エリア１２５の平均能力要求比率が０％・・・と算出され、これらの平均能力要求比率がデータ記憶部２２に記憶される。
【００２４】
次に、空調機データ取得部２１において、接続されている全ての空調機から、現在の運転／停止状態の情報が取得される（Ｓ７）。そして、取得された最新の各空調機の運転／停止状態の情報を含めて、１時間ごとの運転時間の積算値が算出される（Ｓ８）。例えば、空調機１０１−１の運転時間が、時刻０〜１時は０分、１〜２時は１０分、２〜３は６０分・・・と算出され、空調機１０１−２の運転時間が、時刻０〜１時は０分、１〜２時は３０分、２〜３時は２０分・・・のように算出される。
【００２５】
次に、算出した１時間ごとの運転時間の積算値に基づいて、現在時刻から過去２４時間内での各空調機の運転時間の合計が算出され、データ記憶部２２に記憶される（Ｓ９）。例えば図４に示すように、エリア１０１の空調機１０１−１および１０１−２の運転時間の合計が４８０分、エリア１２２の空調機１２２−１の運転時間の合計が３２０分・・・と算出され、記憶される。
【００２６】
次に、空調機データ取得部２１において、接続されている全ての空調機から、現在のサーモＯＮ／ＯＦＦ状態の情報が取得される（Ｓ１０）。サーモＯＮとは、空調機が何らかの能力での空調運転を行うことを意味し、サーモＯＦＦとは、例えば、室温が目標温度に到達し。これ以上空調運転を行う必要がない状態を意味しており、具体的にはサーモＯＮは、空調機の要求能力値が０以上の場合で、サーモＯＦＦは要求能力値が０の場合として区別される。なお、サーモＯＮ、ＯＦＦのいずれも、空調機の空調運転の指示（空調機のＯＮ）が出ている上での状態を示し、空調機の停止指示中（空調機のＯＦＦ）は対象外となる。
【００２７】
そして、取得された最新のサーモＯＮ／ＯＦＦ状態の情報を含めて、１時間ごとのサーモＯＦＦ時間の積算値が算出される（Ｓ１１）。例えば、空調機１０１−１のサーモＯＦＦ時間が、０〜１時は０分、１〜２時は０分、２〜３時は５５分・・・と算出され、空調機１０１−２のサーモＯＦＦ時間が、０〜１時は０分、１〜２時は３０分、２〜３時は２０分・・・と算出される。
【００２８】
次に、算出した１時間ごとのサーモＯＦＦ時間の積算値に基づいて、現在時刻から過去２４時間内での各空調機のサーモＯＦＦ時間の合計が算出され、データ記憶部２２に記憶される（Ｓ１２）。例えば図４に示すように、エリア１０１の空調機１０１−１のサーモＯＦＦ時間が３０分、空調機１０１−２のサーモＯＦＦ時間が４０分、エリア１２２の空調機１２２−１のサーモＯＦＦ時間が３１５分・・・と算出され、記憶される。
【００２９】
次に、エリア別データ算出部２３において、データ記憶部２２に記憶されたデータに基づいて、各空調機の過去２４時間内でのサーモＯＦＦ時間比率が、（各空調機の過去２４時間内でのサーモＯＦＦ時間の合計）÷（各空調機の過去２４時間内での運転時間の合計）により算出され、データ記憶部２２に記憶される（Ｓ１３）。例えば図４に示すように、空調機１０１−１のサーモＯＦＦ時間比率が６％、空調機１０１−２のサーモＯＦＦ時間比率が８％、空調機１２２−１のサーモＯＦＦ時間比率が９８％・・・と算出され、記憶される。
【００３０】
次に、エリア別データ算出部２３において、データ記憶部２２に記憶されたデータに基づいて、各エリア内の空調機のサーモＯＦＦ時間比率の平均値が算出され、データ記憶部２２に記憶される（Ｓ１４）。例えば図４に示すように、エリア１０１の平均サーモＯＦＦ時間比率が７％、エリア１２２の平均サーモＯＦＦ時間比率が９５％・・・と記憶される。
【００３１】
これらのデータが算出され記憶されると、ステップＳ１に戻り、次のエリア別データ算出処理の実行タイミングが到来すると、ステップＳ２〜Ｓ１４の処理が繰り返される。
【００３２】
上述した処理により各種データがデータ記憶部２２に記憶されている状態で、管理者により入力部２４が操作されて、表示対象とするフロアおよび表示モードが指定されると、表示画面情報生成部２５により、指定された階のフロア構成図を指定された表示モードで表示させるための表示画面情報が生成される。
【００３３】
ここで表示モードとしては、各エリアを室温のレベルごとに異なる色調で表示する温度分布表示モード、各エリアを空調負荷のレベルごとに異なる色調で表示する空調負荷分布モード、または、サーモＯＦＦ時間が長いエリアを所定の色調で示すサーモＯＦＦ時間状況表示モードのいずれかを指定することができる。
【００３４】
管理者の操作により、表示対象とするフロアおよび表示モードが指定されたときに、表示画面情報生成部２５で実行されるエリア別表示色決定処理について、図５のフローチャートを参照して説明する。図５で示す処理は、指定されたフロア内のすべてのエリアに対してそれぞれ実行される。例えば、１階フロアが指定されたときには、エリア１０１、１０２、１０３・・・１７２それぞれに対してエリア別表示色決定処理が実行される。
【００３５】
対象のエリアに対する処理が開始され、指定された表示モードが温度分布表示モードであると判断されると（Ｓ２１の「YES」）、データ記憶部２２に記憶された当該エリアの平均室温値とフロア全体の平均室温値との差分値が−３℃よりも低い値であれば（Ｓ２２）、当該エリア部分を水色で塗りつぶして表示させることが決定される（Ｓ２３）。また、当該エリアの平均室温値とフロア全体の平均室温値との差分値が−３℃以上３℃未満の値であれば（Ｓ２４の「YES」）、当該エリア部分を白色で塗りつぶして表示させることが決定される（Ｓ２５）。また、当該エリアの平均室温値とフロア全体の平均室温値との差分値が３℃以上の値であれば、当該エリア部分を橙色で塗りつぶして表示させることが決定される（Ｓ２６）。
【００３６】
また、指定された表示モードが空調負荷分布モードであると判断されると（Ｓ２１の「NO」、Ｓ２７の「YES」）、データ記憶部２２に記憶された当該エリアの平均能力要求比率が０％以上３０％未満であれば（Ｓ２８の「YES」）、当該エリア部分を水色で塗りつぶして表示させることが決定される（Ｓ２９）。また、当該エリアの平均能力要求比率が３０％以上６０％未満であれば（Ｓ３０の「YES」）、当該エリア部分を白色で塗りつぶして表示させることが決定される（Ｓ３１）。また、当該エリアの平均能力要求比率が６０％以上であれば、当該エリア部分を橙色で塗りつぶして表示させることが決定される（Ｓ３２）。
【００３７】
また、指定された表示モードがサーモＯＦＦ時間状況表示モードであると判断されると（Ｓ２１の「NO」、Ｓ２７の「NO」、Ｓ３３の「YES」）、データ記憶部２２に記憶された当該エリアのサーモＯＦＦ時間比率が０％以上９５％未満であれば（Ｓ３４の「YES」）、当該エリア部分を白色で塗りつぶして表示させることが決定される（Ｓ３５）。また、当該エリアのサーモＯＦＦ時間比率が９５％以上であれば、当該エリア部分を強調する色調、例えばグレーで塗りつぶして表示させることが決定される（Ｓ３６）。
【００３８】
上述したステップＳ２１〜Ｓ３６の処理が、指定されたフロア内の全てのエリアについて実行され、指定された表示モードにおける各エリアの表示色が決定される。そして、表示画面情報生成部２５により、指定されたフロアの構成図情報が用いられ、各エリアをそれぞれ決定された表示色で表示させるように表示画面情報が生成され、表示部２６に表示される。
【００３９】
管理者により１階フロアを温度分布表示モードで表示させることが指定されたときに、表示部２６に表示された表示画面情報の一例を、図６に示す。図６では、エリア１２３、１２４、および１２５が水色で塗りつぶされ、エリア１０１、１０３、１７１、および１７２が橙色で塗りつぶされ、他のエリアが白色で塗りつぶされて表示されている。このように、フロア全体の平均室温よりも所定値以上高い室温のエリアや所定値以上低い室温のエリアが色分けして表示されることで、管理者は冷房シーズンに冷え過ぎているエリアや暖房シーズンに暖まり過ぎているエリアを視覚的に容易に把握示することができる。
【００４０】
また、管理者により１階フロアを空調負荷分布モードで表示させることが指定されたときに、表示部２６に表示された表示画面情報の一例を、図７に示す。図７では、エリア１２１、１２２、１２３、１２４、および１２５が水色で塗りつぶされ、エリア１０１、１０２、１０３、１７１、および１７２が橙色で塗りつぶされ、他のエリアが白色で塗りつぶされて表示されている。このように、空調負荷の高いエリアや低いエリアが色分けして表示されることで、管理者は空調機の運転率が他よりも高いエリア等を視覚的に容易に把握することができる。
【００４１】
また、管理者により１階フロアをサーモＯＦＦ時間状況表示モードで表示させることが指定されたときに、表示部２６に表示された表示画面情報の一例を、図８に示す。図８では、エリア１２４、１３１、および１３２がグレーで塗りつぶされて、他のエリアが白色で塗りつぶされて表示されている。このように、サーモＯＦＦ時間比率の高いエリアが色分けして表示されることで、管理者は空調機の運転の必要性が低いエリアを視覚的に容易に把握することができる。
【００４２】
管理者は適宜、指定するフロアや表示モードを切り替えることにより、所望のデータに基づいたエリアごとの空調状態を表示させることができる。したがって、管理者は、エリアごとに空調状態を表示させることで、状況が一目で把握できるようになり、例えばショッピングモールの店舗ごとに冷え過ぎや暖め過ぎの判断や省エネのための運転の要否の判断を容易に行うことができる。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
１…空調管理システム、２０…空調管理装置、２１…空調機データ取得部、
２２…データ記憶部、２３…エリア別データ算出部、２４…入力部、
２５…表示画面情報生成部、２６…表示部、１０１〜１７２…エリア、
１０１−１〜１７２−２…空調機
【図１】
0006562860.tif 000002
【図２】
0006562860.tif 000003
【図３】
0006562860.tif 000004
【図４】
0006562860.tif 000005
【図５】
0006562860.tif 000006
【図６】
0006562860.tif 000007
【図７】
0006562860.tif 000008
【図８】
0006562860.tif 000009